(57)【特許請求の範囲】
【請求項１】
実空間内の配信空間に位置する移動通信端末及び前記移動通信端末のユーザの少なくとも一方に関する情報を、前記移動通信端末から取得する取得ユニットと、
前記取得ユニットが取得した前記移動通信端末及び前記移動通信端末のユーザの少なくとも一方に関する情報に基づき、配信先装置としての前記配信空間に位置する移動通信端末及び前記移動通信端末のユーザに対して情報表示可能な表示装置の少なくとも一方に対し、前記配信空間に対応した配信データを送信する配信ユニットと、
を備え、
前記配信データは、前記配信空間として前記実空間を提供する提供者に関する第一配信データと、前記提供者以外の者に関する第二配信データと、を含み、
前記配信ユニットは、前記配信先装置に対し、前記第一配信データと前記第二配信データとを切り替えて送信すること
を特徴とする配信システム。
【請求項２】
前記配信ユニットは、前記配信先装置に対し、前記第一配信データと前記第二配信データとの配信比率が所定の条件を満足するように、前記第一配信データと前記第二配信データとを切り替えて送信すること
を特徴とする請求項１記載の配信システム。
【請求項３】
前記配信ユニットは、前記配信先装置に対し、前記配信比率が統計的に前記所定の条件を満足する範囲内でランダムに前記第一配信データと前記第二配信データとを切り替えて送信すること
を特徴とする請求項２記載の配信システム。
【請求項４】
前記配信ユニットは、前記配信データの送信日及び送信時間帯の少なくとも一方に応じて前記第一配信データと前記第二配信データとの間の配信比率を切り替えるようにして、前記配信先装置に対し、前記第一配信データと前記第二配信データとを切り替えて送信すること
を特徴とする請求項１〜請求項３のいずれか一項記載の配信システム。
【請求項５】
前記配信ユニットは、前記配信先装置に対し、前記第一配信データと前記第二配信データとを、前記配信先装置のユーザ属性に応じて切り替えて送信すること
を特徴とする請求項１〜請求項４のいずれか一項記載の配信システム。
【請求項６】
前記配信ユニットは、予め定められたユーザ属性に合致する前記配信先装置に対しては、前記第二配信データを送信することなく前記第一配信データを送信し、それ以外の前記配信先装置に対して、前記第一配信データと前記第二配信データとを切り替えて送信すること
を特徴とする請求項１〜請求項５のいずれか一項記載の配信システム。
【請求項７】
前記ユーザ属性は、少なくともユーザの性別、年齢、国籍、言語、会員種別、興味、及び、関心の一つにより定義される属性であること
を特徴とする請求項５又は請求項６記載の配信システム。
【請求項８】
前記配信ユニットは、前記第一配信データと前記第二配信データとを、前記配信先装置の種類に応じて切り替えて送信すること
を特徴とする請求項１〜請求項７のいずれか一項記載の配信システム。
【請求項９】
前記配信ユニットは、前記第一配信データと前記第二配信データとを、前記配信先装置において前記配信データに基づく情報が表示される画面のサイズに応じて切り替えて送信すること
を特徴とする請求項１〜請求項８のいずれか一項記載の配信システム。
【請求項１０】
前記配信空間は、複数の部分空間を含み、前記部分空間の少なくとも一つは、前記第一配信データを配信するための第一空間として定められ、前記第一空間を除く前記部分空間の少なくとも一つは、前記第二配信データを配信するための第二空間として定められ、
前記配信ユニットは、前記第一空間に位置する前記配信先装置に前記第一配信データを送信し、前記第二空間に位置する前記配信先装置に前記第二配信データを送信するようにして、前記配信先装置に対し、前記第一配信データと前記第二配信データとを切り替えて送信すること
を特徴とする請求項１〜請求項９のいずれか一項記載の配信システム。
【請求項１１】
前記取得ユニットが取得する前記移動通信端末及び前記移動通信端末のユーザの少なくとも一方に関する情報は、前記移動通信端末に対応するユーザの行動履歴を表す情報又は前記ユーザの行動履歴を参照可能な情報を含み、
前記配信ユニットは、前記取得ユニットが取得する情報に含まれる前記ユーザの行動履歴を参照し、又は、前記取得ユニットが取得する情報に含まれる前記ユーザの行動履歴を参照可能な情報に基づき、前記配信先装置のユーザの行動履歴を参照し、前記配信先装置に対して、前記第一配信データと前記第二配信データとを、前記配信先装置のユーザの行動履歴に基づき切り替えて送信すること
を特徴とする請求項１〜請求項１０のいずれか一項記載の配信システム。
【請求項１２】
前記ユーザの行動履歴には、前記ユーザの実店舗への訪問履歴、前記実店舗における購買履歴、ウェブサイトへのアクセス履歴、及び、前記ウェブサイトにおける購買履歴の少なくとも一つが含まれること
を特徴とする請求項１１記載の配信システム。
【請求項１３】
前記取得ユニットが取得する前記移動通信端末及び前記移動通信端末のユーザの少なくとも一方に関する情報は、前記移動通信端末及び前記移動通信端末のユーザの少なくとも一方の識別情報及び位置情報を含むこと
を特徴とする請求項１〜請求項１２のいずれか一項記載の配信システム。
【請求項１４】
競争入札の原理に従って前記配信先装置に送信する前記第二配信データを決定する決定ユニットを備え、
前記配信ユニットは、前記決定ユニットにより決定された前記第二配信データが存在する場合には、前記配信先装置に対し、前記第一配信データと前記第二配信データとを切り替えて送信し、前記決定ユニットにより決定された前記第二配信データが存在しない場合には、前記配信先装置に対し、前記第一配信データを送信すること
を特徴とする請求項１〜請求項１３のいずれか一項記載の配信システム。
【請求項１５】
配信方法であって、
実空間内の配信空間に位置する移動通信端末及び前記移動通信端末のユーザの少なくとも一方に関する情報を、前記移動通信端末から取得する取得手順と、
前記取得手順により取得された前記移動通信端末及び前記移動通信端末のユーザの少なくとも一方に関する情報に基づき、配信先装置としての前記配信空間に位置する移動通信端末及び前記移動通信端末のユーザに対して情報表示可能な表示装置の少なくとも一方に対し、前記配信空間に対応した配信データを送信する配信手順と、
を含み、
前記配信データは、前記配信空間として前記実空間を提供する提供者に関する第一配信データと、前記提供者以外の者に関する第二配信データと、を含み、
前記配信手順は、前記配信先装置に対し、前記第一配信データと前記第二配信データとを切り替えて送信する手順であること
を特徴とする配信方法。
【発明の詳細な説明】
【技術分野】
【０００１】
本発明は、配信システム及び配信方法に関する。
【背景技術】
【０００２】
従来、ユーザに適切な広告を表示するための技術が知られている。例えば、サーバがユーザの行動履歴を把握し、ユーザ端末に対して行動履歴に適合した広告を送信する技術が知られている（例えば、特許文献１参照）。
【先行技術文献】
【特許文献】
【０００３】
【特許文献１】特開２０１２−２０８９０４号公報
【発明の概要】
【発明が解決しようとする課題】
【０００４】
近年では、スマートフォンやタブレット端末等の高性能な移動通信端末が普及してきている。しかしながら、これらの移動通信端末に対する広告等のデータ配信は、デスクトップコンピュータへの配信方法と同様の方法で行われている。近年では、移動通信端末を常に携帯する消費者も多い。また、上述の移動通信端末は、様々な機能を有している。しかしながら、従来技術では、データ配信に際して、移動通信端末が有する上述の特徴や機能を有効に活用できていない。
【０００５】
従って、本発明の一側面では、移動通信端末を用いた有意義な配信システム及び配信方法を提供できることが望ましい。
【課題を解決するための手段】
【０００６】
本発明の一側面に係る配信システムは、取得ユニットと配信ユニットとを備える。取得ユニットは、配信空間に位置する移動通信端末及び移動通信端末のユーザの少なくとも一方に関する情報を、移動通信端末から取得する。配信ユニットは、取得ユニットが取得した移動通信端末及び移動通信端末のユーザの少なくとも一方に関する情報に基づき、配信先装置としての配信空間に位置する移動通信端末及び移動通信端末のユーザに対して情報表示可能な表示装置の少なくとも一方に対し、配信空間に対応した配信データを送信する。配信空間は、実空間において配信データを送信する対象の空間であり得る。
【０００７】
配信ユニットにより送信される配信データは、配信空間の提供者に関する第一配信データと、それ以外の第二配信データと、を含む。配信ユニットは、配信先装置に対し、第一配信データと第二配信データとを切り替えて送信する。
【０００８】
実空間に配信空間を設定する場合、配信空間に対応する場所には、その場所を管理する者が存在する。従って、配信空間の移動通信端末に配信データを提供する場合には、配信空間に対応する上記場所を管理する者が、その配信空間で自己の配信データを提供することが考えられる。
【０００９】
しかしながら、消費意欲の高い消費者が集まる施設等の場所に設定される配信空間は、第三者にとっても魅力的な配信空間である。また、配信空間に対応する場所を管理する者によっては、配信空間の一部を他者に貸し出すことを希望する可能性がある。本発明者らは、こうした潜在的ニーズを発見し、上述した配信システムの構成を想到するに至った。
【００１０】
上述した配信システムによれば、配信ユニットは、配信空間に位置する移動通信端末及び移動通信端末のユーザに対して情報表示可能な表示装置の少なくとも一方に対し、配信空間の提供者に関する第一配信データと、それ以外の第二配信データと、を切り替えて配信する。従って、本発明の一側面によれば、実空間内の配信空間を有意義に利用して、及び、配信空間内の移動通信端末を有意義に利用して、配信空間に位置する消費者に向けて情報発信することができる。表示装置の例には、配信空間に設置された大型ディスプレイ又はディジタルサイネージが含まれ得る。移動通信端末に送信する配信データの例には、クーポン等の消費行動を促進するための配信データが含まれ得る。従って、本発明の一側面によれば、移動通信端末を用いた有意義な配信システムを提供することが可能である。
【００１１】
具体的に、配信ユニットは、配信先装置に対し、第一配信データと第二配信データとの配信比率が所定の条件を満足するように、第一配信データと第二配信データとを切り替えて送信する構成にされ得る。配信ユニットは、配信先装置に対し、配信比率が統計的に所定の条件を満足する範囲内でランダムに第一配信データと第二配信データとを切り替えて送信する構成にされ得る。配信比率を制御可能な配信システムによれば、第一配信データの配信主及び第二配信データの配信主の希望に沿った配信を行い得る。
【００１２】
配信ユニットは、配信データ送信日及び送信時間帯の少なくとも一方に応じて配信比率を切り替えるようにして、配信先装置に対し、第一配信データと第二配信データとを切り替えて送信する構成にされてもよい。配信ユニットは、平日における配信比率と休日における配信比率を切り替えるようにして、第一配信データ及び第二配信データを送信する構成にされ得る。
【００１３】
配信ユニットは、配信先装置の個々に対し、第一配信データと第二配信データとを切り替えて送信する構成にされてもよいし、配信先装置の集合内で、第一配信データと第二配信データとを切り替えて送信する構成にされてもよい。後者の例によれば、配信先装置の集合には、配信ユニットから第一配信データ及び第二配信データの一方のみが送信される配信先装置が含まれ得る。
【００１４】
配信ユニットは、配信先装置に対し、第一配信データと第二配信データとを、配信先装置のユーザ属性に応じて切り替えて送信する構成にされてもよい。一例としてのユーザ属性は、少なくともユーザの性別、年齢、国籍、言語、会員種別、興味、及び、関心の一つにより定義され得る。勿論、ユーザ属性は、これら以外のパラメータにより定義されてもよい。
【００１５】
配信ユニットは、予め定められたユーザ属性に合致する配信先装置に対しては、第二配信データを送信することなく第一配信データを送信し、それ以外の配信先装置に対して、第一配信データと第二配信データとを切り替えて送信するように構成され得る。
【００１６】
例えば第二配信データが広告データである場合、配信ユニットは、無料会員又は一般会員の配信先装置に対し、第一配信データと第二配信データとを切り替えて送信し、有料会員又は上級会員の配信先装置に対しては、第二配信データを送信することなく第一配信データを送信するように構成され得る。
【００１７】
配信ユニットは、第一配信データと第二配信データとを、配信先装置の種類に応じて切り替えて送信する構成にされてもよい。配信ユニットは、第一配信データと第二配信データとを、配信先装置において配信データに基づく情報が表示される画面のサイズに応じて切り替えて送信する構成にされてもよい。
【００１８】
配信空間は、複数の部分空間を含んでもよく、部分空間の少なくとも一つは、第一配信データを配信するための第一空間として定められ、第一空間を除く部分空間の少なくとも一つは、第二配信データを配信するための第二空間として定められてもよい。
【００１９】
この場合、配信ユニットは、第一空間に位置する配信先装置に第一配信データを送信し、第二空間に位置する配信先装置に第二配信データを送信するようにして、配信先装置に対し、第一配信データと第二配信データとを切り替えて送信するように構成され得る。
【００２０】
この他、取得ユニットが取得する移動通信端末及び移動通信端末のユーザの少なくとも一方に関する情報は、移動通信端末に対応するユーザの行動履歴を表す情報又はユーザの行動履歴を参照可能な情報を含んでいてもよい。この場合、配信ユニットは、取得ユニットが取得する情報に含まれるユーザの行動履歴を参照し、又は、取得ユニットが取得する情報に含まれるユーザの行動履歴を参照可能な情報に基づき、配信先装置のユーザの行動履歴を参照し、配信先装置に対して、第一配信データと第二配信データとを、配信先装置のユーザの行動履歴に基づき切り替えて送信する構成にされてもよい。ユーザの行動履歴には、実店舗への訪問履歴、実店舗での購買履歴、ウェブサイトへのアクセス履歴、及び、ウェブサイトでの購買履歴の少なくとも一つが含まれ得る。
【００２１】
取得ユニットが取得する移動通信端末及び移動通信端末のユーザの少なくとも一方に関する情報は、移動通信端末及び移動通信端末のユーザの少なくとも一方の識別情報及び位置情報を含んでもよい。
【００２２】
また、配信システムは、競争入札の原理に従って配信先装置に送信する第二配信データを決定する決定ユニットを備えてもよい。この場合、配信ユニットは、決定ユニットにより決定された第二配信データが存在する場合には、配信先装置に対し、第一配信データと第二配信データとを切り替えて送信し、決定ユニットにより決定された第二配信データが存在しない場合には、配信先装置に対し、第一配信データを送信する構成にされてもよい。
【００２３】
本発明の別側面では、配信空間に位置する移動通信端末及び移動通信端末のユーザの少なくとも一方に関する情報を、移動通信端末から取得する取得手順と、取得手順により取得された移動通信端末及び移動通信端末のユーザの少なくとも一方に関する情報に基づき、配信先装置としての配信空間に位置する移動通信端末及び移動通信端末のユーザに対して情報表示可能な表示装置の少なくとも一方に対し、配信空間に対応した配信データを送信する配信手順と、を含む配信方法が提供されてもよい。配信手順は、配信先装置に対し、第一配信データと第二配信データとを切り替えて送信する手順であり得る。
【００２４】
本発明の更なる別側面では、上述した取得ユニット、配信ユニット、及び決定ユニットの少なくとも一つとして、コンピュータを機能させるためのプログラムが提供されてもよい。プログラムは、コンピュータ読取可能な一時的でない記録媒体に記録され得る。
【図面の簡単な説明】
【００２５】
【図１】配信システムの概略構成を表すブロック図である。
【図２】代理サーバの概略構成を表すブロック図である。
【図３】移動通信端末の概略構成を表すブロック図である。
【図４】代理サーバ及び移動通信端末で実現される処理を表す図である。
【図５】代理サーバにおいて実行される配信処理を表すフローチャートである。
【図６】コンテンツデータ及び広告データの配信態様を表す図である。
【図７】変形例の配信システムの概略構成を表すブロック図である。
【図８】変形例の配信システムにおいて、代理サーバ及び移動通信端末で実現される処理を表す図である。
【発明を実施するための形態】
【００２６】
以下には、本発明の実施例を図面と共に説明する。図１に示す本実施例の配信システム１は、配信空間Ｄ１０，Ｄ２０に位置する移動通信端末６０から送信されてくる配信空間Ｄ１０，Ｄ２０の識別コード（以下「配信空間ＩＤ」と称する。）に基づき、配信空間Ｄ１０，Ｄ２０に対応する配信データを、移動通信端末６０に提供するように構成される。
【００２７】
配信空間Ｄ１０，Ｄ２０は、配信データを配信する空間であり、実空間に設定される。例えば、配信空間Ｄ１０，Ｄ２０は、店舗や施設に設定される。図１では、二つの配信空間Ｄ１０，Ｄ２０を例示するが、実空間には、それ以上の多数の配信空間が通常設定される。配信空間Ｄ１０，Ｄ２０の夫々には、配信空間ＩＤを発信するコード発信機７０が配置される。
【００２８】
移動通信端末６０の例には、スマートフォン、タブレット端末及びモバイルコンピュータが含まれる。コード発信機７０の例には、ビーコンＩＤをブルートゥース（Ｂｌｕｅｔｏｏｔｈ：登録商標）通信規格で発信するビーコン、及び、ネットワークＩＤ（例えばＳＳＩＤ）を発信する無線アクセスポイントが含まれる。
【００２９】
コード発信機７０は、配信空間ＩＤを、音の形態で、移動通信端末６０のマイクロフォンを通じて、移動通信端末６０に提供する装置であってもよい。配信空間ＩＤは、配信空間Ｄ１０，Ｄ２０に設置されたオーディオ装置やテレビジョン装置からの音信号に重畳されて、移動通信端末６０に提供され得る。
【００３０】
但し、配信空間Ｄ１０，Ｄ２０には、コード発信機７０が設けられなくてもよい。この場合、移動通信端末６０は、ＧＰＳ受信機６９（図３参照）から得られた現在位置座標を送信するように構成され得る。移動通信端末６０は、配信空間Ｄ１０，Ｄ２０の位置座標を表すマップを備え、このマップに基づいて、ＧＰＳ受信機６９から得られた現在位置座標に対応する配信空間Ｄ１０，Ｄ２０を特定し、この配信空間Ｄ１０，Ｄ２０に対応する配信空間ＩＤを送信するように構成されてもよい。
【００３１】
詳述すると、本実施例の配信システム１は、代理サーバ１０と、情報提供サーバ２０と、コンテンツ配信サーバ３０と、広告配信サーバ４０と、電子入札システム５０とを備える。代理サーバ１０は、移動通信端末６０毎に、移動通信端末６０から取得した情報と、情報提供サーバ２０から取得した情報とに基づき、移動通信端末６０に送信する配信データを決定し、決定した配信データを、移動通信端末６０に送信するように構成される。
【００３２】
代理サーバ１０は、図２に示すように、演算ユニット１１、記憶ユニット１３及び通信ユニット１５を備える。演算ユニット１１は、各種プログラムを実行するＣＰＵ１１１及びＣＰＵ１１１によるプログラム実行時に作業用メモリとして使用されるＲＡＭ１１３を備える。以下では、ＣＰＵ１１１がプログラムを実行することにより実現される処理を、代理サーバ１０又は演算ユニット１１が実行する処理として説明する。
【００３３】
記憶ユニット１３は、演算ユニット１１が実行する各種プログラム及び各種データを記憶する。通信ユニット１５は、広域ネットワーク（例えばインターネット）を通じて、情報提供サーバ２０、コンテンツ配信サーバ３０、広告配信サーバ４０、及び、移動通信端末６０と通信可能に構成される。
【００３４】
情報提供サーバ２０は、一つ又は複数のサーバ装置から構成される。情報提供サーバ２０は、代理サーバ１０の運営企業とは異なる企業により運営されるものであってもよい。情報提供サーバ２０は、例えば、代理サーバ１０から要求された気象予報データを、代理サーバ１０に提供する機能を有した構成にされる。
【００３５】
情報提供サーバ２０は、移動通信端末６０にインストールされたアプリケーションプログラムの会員データを有し、代理サーバ１０から要求された会員の属性を表す属性データを、代理サーバ１０に提供する機能を、上記機能に加えて又は代えて有した構成にされてもよい。
【００３６】
アプリケーションプログラムは、移動通信端末６０が配信システム１から提供される配信データに基づく情報を表示ユニット６４（図３参照）に表示させるためのプログラムであり得る。属性データには、会員の性別、年齢、国籍、使用言語、会員種別、興味、及び関心を表す情報が含まれ得る。会員種別の情報は、会員が無料会員及び有料会員のいずれであるかを表す情報であってもよいし、会員が一般会員及び上級会員のいずれであるかを表す情報であってもよい。興味及び関心を表す情報には、例えば、会員の趣味を表す情報が含まれ得る。興味及び関心を表す情報は、例えば、会員に対しアンケートを実施することにより取得することができる。
【００３７】
情報提供サーバ２０は、会員毎に、実店舗及び／又はオンライン店舗（ウェブサイト）での購買履歴を表す購買履歴データを有し、代理サーバ１０から要求された会員の購買履歴データを、代理サーバ１０に提供する機能を、上記機能に加えて又は代えて有した構成にされてもよい。
【００３８】
情報提供サーバ２０は、会員毎に、実店舗への訪問履歴を表す訪問履歴データを有し、代理サーバ１０から要求された会員の訪問履歴データを代理サーバ１０に提供する機能を、上記機能に加えて又は代えて有した構成にされてもよい。情報提供サーバ２０は、会員毎に、ウェブサイトへのアクセス履歴を表すウェブアクセス履歴データを有し、代理サーバ１０から要求された会員のウェブアクセス履歴データを代理サーバ１０に提供する機能を、上記機能に加えて又は代えて有した構成にされてもよい。
【００３９】
コンテンツ配信サーバ３０は、配信空間Ｄ１０，Ｄ２０を含む配信空間毎に、配信空間の提供者に関する一つ又は複数の配信データをコンテンツデータとして有し、代理サーバ１０から要求された配信空間のコンテンツデータを代理サーバ１０に提供するように構成される。以下では、配信空間の提供者に関する配信データのことを特にコンテンツデータと表現する。
【００４０】
配信空間の提供者に関する配信データは、配信空間の提供者から配信を指示された配信データに対応する。換言すれば、コンテンツデータは、配信主と配信空間の提供者とが一致する配信データに対応する。コンテンツデータは、配信空間で販売される商品や役務の購買行動を促進するための配信データであり得る。
【００４１】
配信空間の提供者は、配信空間が設定された場所を管理する者に対応する。例えば配信空間Ｄ１０がコンビニエンスストア内に設定された場合、配信空間Ｄ１０の提供者は、コンビニエンスストアである。
【００４２】
広告配信サーバ４０は、配信空間Ｄ１０，Ｄ２０を含む配信空間毎に、広告データを有し、代理サーバ１０から要求された配信空間の広告データを代理サーバ１０に提供するように構成される。ここで言う広告データは、配信主と配信空間の提供者とが一致しない配信データ（非コンテンツデータ）であり、配信空間の提供者以外から配信を指示された配信データに対応する。
【００４３】
本実施例において、配信空間の夫々で配信される広告データは、競争入札の原理で決定される。例えば、配信空間毎に、この配信空間で広告データを一定期間配信する権利が、定期的に競争入札の原理で販売される。この競争入札により、権利を獲得した者の広告データの一つ又は複数が、広告配信サーバ４０において、該当配信空間及び期間における配信対象の広告データとして登録される。複数の広告データが登録される場合、これらの広告データは、配信対象が限定された広告データの一群であり得る。配信対象が限定された広告データの一群は、例えば、男女別や年齢別に代表されるユーザ属性別の広告データであり得る。
【００４４】
競争入札の原理に基づく広告データの決定のために、配信システム１には、入札を希望する者が広域ネットワークを通じて利用可能な電子入札システム５０が設けられる。電子入札システム５０は、配信空間毎に、上記権利を競争入札の原理で販売し、最高額で入札した者の広告データを、該当配信空間及び期間における配信対象の広告データとして広告配信サーバ４０に登録する。この電子入札システム５０は、入札額が一定額未満である場合には、入札不成立とみなして、該当配信空間及び期間における配信対象の広告データを登録しないように動作し得る。広告配信サーバ４０は、代理サーバ１０から要求された配信空間の広告データが存在しない場合には、その旨を代理サーバ１０に返信するように構成され得る。但し、全ての配信空間の広告データが競争入札の原理で決定される必要はない。
【００４５】
移動通信端末６０は、図３に示すように、制御ユニット６１と、記憶ユニット６２と、表示ユニット６４と、操作ユニット６５と、通信ユニット６６と、コード受信機６７と、ＧＰＳ受信機６９と、を備える。
【００４６】
制御ユニット６１は、各種プログラムを実行するＣＰＵ６１１及びＣＰＵ６１１によるプログラム実行時に作業用メモリとして使用されるＲＡＭ６１３を備え、プログラムの実行により、移動通信端末６０全体を統括制御する。以下では、ＣＰＵ６１１がプログラムを実行することにより実現される処理を、移動通信端末６０又は制御ユニット６１が実行する処理として説明する。
【００４７】
記憶ユニット６２は、制御ユニット６１が実行する各種プログラム及び各種データを備える。表示ユニット６４は、例えば液晶ディスプレイにより構成され、制御ユニット６１に制御されて、各種画面を表示する。操作ユニット６５は、例えば液晶ディスプレイ上に設けられたタッチパネルにより構成され、ユーザからの操作信号を制御ユニット６１に入力する。
【００４８】
通信ユニット６６は、セルラー通信及び無線ＬＡＮ通信用の通信インタフェースを備え、セルラー網及び無線ＬＡＮを通じて、広域ネットワーク内の代理サーバ１０と通信可能に構成される。
【００４９】
コード受信機６７は、コード発信機７０から送信される配信空間ＩＤを受信可能な構成される。例えば、コード受信機６７は、ブルートゥース通信規格に従って配信空間ＩＤを送信するビーコンから配信空間ＩＤを受信可能なブルートゥース通信規格の通信インタフェースにより構成される。但し、コード発信機７０が無線アクセスポイントである場合、配信空間ＩＤとしてのネットワークＩＤ（ＳＳＩＤ）は、通信ユニット６６により受信される。
【００５０】
また、ＧＰＳ受信機６９は、ＧＰＳ衛星から送信されてくるＧＰＳ信号を受信可能に構成され、受信したＧＰＳ信号に基づき、現在位置座標（緯度及び経度）を算出可能に構成される。ＧＰＳ受信機６９は、算出した現在位置座標を制御ユニット６１に入力する。
【００５１】
続いて、移動通信端末６０及び代理サーバ１０が実行する処理の詳細を、図４を用いて説明する。移動通信端末６０には、配信データの受信及び表示のためのアプリケーションプログラムがインストールされる。移動通信端末６０では、このアプリケーションプログラムの実行により、制御ユニット６１が、認証要求部６１Ａ、リクエスト処理部６１Ｂ、内部変数取得処理部６１Ｃ、受信処理部６１Ｄ、及び、表示処理部６１Ｅとして機能する。代理サーバ１０では、演算ユニット１１がサーバプログラムを実行することにより、認証処理部１１Ａ、外部変数取得処理部１１Ｂ、リクエスト受付処理部１１Ｃ、及び、配信処理部１１Ｄとして機能する。
【００５２】
移動通信端末６０の認証要求部６１Ａは、移動通信端末６０と代理サーバ１０との接続が確立されていない状態で、コード受信機６７がコード発信機７０から配信空間ＩＤを受信すると、代理サーバ１０との接続を確立するために、アプリケーションプログラムの識別コード（以下「アプリケーションＩＤ」と称する。）を含む認証要求信号を代理サーバ１０に送信する。認証要求部６１Ａは、移動通信端末６０のユーザから所定操作がなされると、認証要求信号を代理サーバ１０に送信するように構成されてもよい。
【００５３】
代理サーバ１０の認証処理部１１Ａは、この認証要求信号を受信すると、移動通信端末６０から通知されたアプリケーションＩＤに基づいて、認証要求元のアプリケーションプログラムが正当なアプリケーションプログラムであるか否かを判断する。そして、認証要求元のアプリケーションプログラムが正当なアプリケーションプログラムである場合には、認証要求元に認証成功を通知し、正当なアプリケーションプログラムではない場合には、認証失敗を通知する。認証成功を条件に、移動通信端末６０と代理サーバ１０との接続は確立され、移動通信端末６０は、対応するアプリケーションプログラムから代理サーバ１０を利用可能な状態に設定される。
【００５４】
移動通信端末６０の認証要求部６１Ａは、認証成功の通知を受けた場合、リクエスト処理部６１Ｂを起動し、認証失敗の通知を受けた場合には、エラー情報を、表示ユニット６４を通じてユーザに表示する。
【００５５】
リクエスト処理部６１Ｂは、起動すると、配信データを要求するリクエスト信号であって、内部変数取得処理部６１Ｃが取得した内部変数を含むリクエスト信号を代理サーバ１０に送信する。リクエスト処理部６１Ｂは、定期的にリクエスト信号を代理サーバ１０に送信するように構成され得る。
【００５６】
内部変数は、移動通信端末６０への配信データを決定するために用いられる変数であって、移動通信端末６０内で収集される変数を意味する。内部変数取得処理部６１Ｃは、内部変数として、ユーザ識別コード（以下「ユーザＩＤ」と称する。）、時刻データ、移動通信端末６０の種別を表すデバイス種別データ、移動通信端末６０の現在位置を表す現在位置データ、及び、配信データの表示位置及びサイズを表す表示位置データを収集する。
【００５７】
ユーザＩＤは、配信システム１において、移動通信端末６０又は移動通信端末６０のユーザを特定可能な識別コードであればよく、移動通信端末６０固有の識別コード（所謂端末ＩＤ）であってもよいし、移動通信端末６０を使用するユーザの会員ＩＤであってもよいし、その組合せであってもよい。
【００５８】
時刻データは、現在日時を表すデータである。デバイス種別データは、移動通信端末６０が、スマートフォン、タブレット端末及びモバイルコンピュータのいずれであるかを表す。現在位置データは、コード受信機６７が配信空間ＩＤを受信している場合には、現在位置を表す情報として、この配信空間ＩＤの情報を含む。移動通信端末６０が無線アクセスポイントからネットワークＩＤ（ＳＳＩＤ）の情報を取得している場合、上記現在位置データは、このネットワークＩＤの情報を含む。現在位置データは、ＧＰＳ受信機６９で算出された現在位置座標の情報を含むデータであってもよい。
【００５９】
表示位置データは、アプリケーションプログラムに基づく表示画面上の、リクエスト信号に対応する配信データを受信した場合の当該配信データの表示位置と、その表示位置の画面サイズとを表す。アプリケーションプログラムに基づく表示画面には、配信データの表示枠（表示位置）が複数設けられ得る。
【００６０】
即ち、リクエスト処理部６１Ｂは、内部変数取得処理部６１Ｃが取得した上記ユーザＩＤ、時刻データ、デバイス種別データ、現在位置データ及び表示位置データを格納したリクエスト信号を代理サーバ１０に送信する。
【００６１】
代理サーバ１０のリクエスト受付処理部１１Ｃは、上記移動通信端末６０から送信されるリクエスト信号を受信し、リクエスト信号に含まれる内部変数、及び、外部変数取得処理部１１Ｂが情報提供サーバ２０から取得した外部変数を配信処理部１１Ｄに入力する。
【００６２】
ここで言う外部変数は、移動通信端末６０への配信データを決定するために用いられる変数であって、移動通信端末６０外で収集される変数を意味する。外部変数取得処理部１１Ｂは、情報提供サーバ２０から外部変数として使用するデータを取得する。
【００６３】
具体的に、外部変数取得処理部１１Ｂは、リクエスト受付処理部１１Ｃが移動通信端末６０から受信したリクエスト信号に含まれるユーザＩＤに基づき、外部変数として、対応するユーザの購買履歴データを情報提供サーバ２０から取得するように構成され得る。外部変数取得処理部１１Ｂは、ユーザＩＤに基づき、対応するユーザの訪問履歴データ及びウェブアクセス履歴データを情報提供サーバ２０から取得するように構成されてもよい。外部変数取得処理部１１Ｂは、ユーザＩＤに基づき、対応するユーザの属性データを情報提供サーバ２０から取得するように構成されてもよい。この他、外部変数取得処理部１１Ｂは、現在位置データから特定される移動通信端末６０の現在位置に対応する気象予報データを取得するように構成されてもよい。
【００６４】
配信処理部１１Ｄは、リクエスト受付処理部１１Ｃがリクエスト信号を受信する度に、リクエスト受付処理部１１Ｃから入力される内部変数及び外部変数に基づき、リクエスト信号送信元の移動通信端末６０に送信する配信データを決定して、当該配信データを移動通信端末６０に送信する。
【００６５】
移動通信端末６０の受信処理部６１Ｄは、このようにして代理サーバ１０から送信される配信データを受信する。表示処理部６１Ｅは、受信処理部６１Ｄが受信した配信データに基づく情報が対応する表示位置（表示枠内）に表示されるように、表示ユニット６４を制御する。
【００６６】
続いて、代理サーバ１０の配信処理部１１Ｄが実行する処理の詳細を説明する。配信処理部１１Ｄは、リクエスト信号毎に、リクエスト受付処理部１１Ｃから得られる内部変数及び外部変数に基づき、図５に示す配信処理を実行するように構成される。
【００６７】
この処理を開始すると、配信処理部１１Ｄは、内部変数及び外部変数に基づき、リクエスト信号送信元の移動通信端末６０が広告配信対象であるか否かを判定する（Ｓ１１０）。移動通信端末６０が広告配信対象ではないと判定すると（Ｓ１１０でＮｏ）、配信処理部１１Ｄは、内部変数及び外部変数に基づき、移動通信端末６０に対する配信データとして、移動通信端末６０が位置する配信空間に対応するコンテンツデータであって移動通信端末６０のユーザに適合したコンテンツデータを、コンテンツ配信サーバ３０から取得し、取得したコンテンツデータを移動通信端末６０に送信する（Ｓ１２０）。その後、当該配信処理を終了する。
【００６８】
一方、移動通信端末６０が広告配信対象であると判定すると（Ｓ１１０でＹｅｓ）、配信処理部１１Ｄは、コンテンツデータと広告データとの配信比率Ｐ：（１００−Ｐ）を設定する（Ｓ１３０）。変数Ｐは、０≦Ｐ≦１００の範囲の値を採る。
【００６９】
配信処理部１１Ｄは、曜日及び時間帯の組合せ毎に設定すべき配信比率を示すテーブルを、配信空間毎に有した構成にされ得て、このテーブルに従い、移動通信端末６０が位置する配信空間に対応した配信比率であって、現在の曜日及び時間帯の組合せに対応した配信比率を設定するように構成され得る。現在の曜日及び時間帯は、代理サーバ１０の内部時計に基づいて特定されてもよいし、内部変数として移動通信端末６０から取得した時刻データに基づいて特定されてもよい。
【００７０】
例えば、配信処理部１１Ｄは、特定の曜日、時間帯、又は、その組合せにおいては、配信比率を９０：１０に設定し、その他の曜日及び時間帯には、配信比率を７０：３０に設定するように構成され得る。
【００７１】
その後、配信処理部１１Ｄは、乱数を取得する動作により抽選を行い（Ｓ１４０）、取得した乱数がコンテンツデータに対応する範囲の値を示す場合には（Ｓ１５０でＹｅｓ）、Ｓ１６０に移行し、取得した乱数が広告データに対応する範囲の値を示す場合には（Ｓ１５０でＮｏ）、Ｓ１７０に移行する。上記コンテンツデータに対応する範囲は、乱数が採りえる範囲のＰ％の範囲に定められ、上記広告データに対応する範囲は、残りの範囲に定められる。
【００７２】
Ｓ１６０に移行すると、配信処理部１１Ｄは、内部変数及び外部変数に基づき、移動通信端末６０に対する配信データとして、移動通信端末６０が位置する配信空間に対応するコンテンツデータであって移動通信端末６０のユーザに適合したコンテンツデータを、コンテンツ配信サーバ３０から取得し、取得したコンテンツデータを移動通信端末６０に送信する。
【００７３】
Ｓ１７０に移行すると、配信処理部１１Ｄは、内部変数及び外部変数に基づき、移動通信端末６０に対する配信データとして、移動通信端末６０が位置する配信空間に対応する広告データであって移動通信端末６０のユーザに適合した広告データを、広告配信サーバ４０から取得し、取得した広告データを移動通信端末６０に送信する。但し、入札が不成立であったこと等を理由として、移動通信端末６０が位置する配信空間に対応する配信対象の広告データが存在しない場合、配信処理部１１Ｄは、Ｓ１７０において広告データに代えてコンテンツデータを取得し、これを移動通信端末６０に送信することができる。
【００７４】
このようにして配信処理部１１Ｄは、配信空間毎に、この配信空間に位置する広告配信対象の移動通信端末６０の一群に対し、Ｓ１３０で設定された配信比率Ｐ：（１００−Ｐ）でコンテンツデータと広告データとが配信される範囲で、ランダムにコンテンツデータと広告データとを切り替えて送信するように動作する（図６参照）。例えば、配信処理部１１Ｄは、配信空間Ｄ１０に対応するコンビニエンスストアの来店者の一群に対し、曜日及び時間帯に応じた配信比率Ｐ：（１００−Ｐ）で、コンビニエンスストアに関するコンテンツデータと、その他の広告データとを切り替えて送信するように動作する。
【００７５】
ここで、Ｓ１１０での判定例を含むコンテンツデータ及び広告データについての更なる具体的な配信例を説明する。配信処理部１１Ｄには、下記の例の一つが適用されてもよいし、複数が適用されてもよい。
【００７６】
＜例１＞
配信処理部１１Ｄは、リクエスト信号送信元の移動通信端末６０に対して過去所定期間内に所定回数以上広告データを送信している場合には、Ｓ１１０において、この移動通信端末６０が広告配信対象ではないと判定するように構成され得る。これにより、配信処理部１１Ｄは、過去所定期間内に所定回数以上広告データを送信した移動通信端末６０以外の移動通信端末６０に対して、配信空間毎に、曜日及び時間帯に応じた配信比率Ｐ：（１００−Ｐ）で、コンテンツデータと広告データとを切り替えて送信するように構成され得る。
【００７７】
＜例２＞
配信処理部１１Ｄは、Ｓ１１０において、リクエスト信号送信元の移動通信端末６０のユーザ属性が、その移動通信端末６０が位置する配信空間において広告配信対象に定められたユーザ属性であるか否かを判定することにより、移動通信端末６０が広告配信対象であるか否かを判定するように構成され得る。配信処理部１１Ｄは、この判定結果に従って、コンテンツデータと広告データとを移動通信端末６０のユーザ属性に対応した条件で切り替えて送信するように構成され得る。ユーザ属性は、ユーザの性別、年齢、国籍、言語、会員種別、興味、及び、関心の一つ又は複数の組合せで定義される属性であり得る。
【００７８】
＜例２の１＞
配信処理部１１Ｄは、移動通信端末６０のユーザがアプリケーションプログラムの有料会員及び無料会員のいずれであるかを判定し、有料会員である場合には、Ｓ１１０において、移動通信端末６０が広告配信対象ではないと判定するように構成され得る。これにより、配信処理部１１Ｄは、有料会員以外のユーザの移動通信端末６０に対して、配信空間毎に、曜日及び時間帯に応じた配信比率Ｐ：（１００−Ｐ）で、コンテンツデータと広告データとを切り替えて送信するように構成され得る。
【００７９】
＜例２の２＞
配信処理部１１Ｄは、リクエスト信号送信元の移動通信端末６０が特定の配信空間に位置する場合には、この移動通信端末６０のユーザの性別を特定し、ユーザが女性である場合には、Ｓ１１０において、移動通信端末６０が広告配信対象ではないと判定するように構成され得る。これにより、配信処理部１１Ｄは、女性以外のユーザの移動通信端末６０に対して、コンテンツデータと広告データとを切り替えて送信するように構成され得る。例えば、配信処理部１１Ｄは、配信空間Ｄ１０に対応するコンビニエンスストアの来店者の内、男性に対しては、配信比率Ｐ：（１００−Ｐ）で、コンビニエンスストアに関するコンテンツデータと、それ以外の広告データとを送信し、女性に対しては、コンビニエンスストアに関するコンテンツデータのみを送信するように動作し得る。
【００８０】
＜例２の３＞
配信処理部１１Ｄは、リクエスト信号送信元の移動通信端末６０が特定の配信空間に位置する場合には、この移動通信端末６０のユーザの年齢を特定し、ユーザの年齢が特定の範囲にある場合には、Ｓ１１０において、移動通信端末６０が広告配信対象ではないと判定するように構成され得る。これにより、配信処理部１１Ｄは、年齢が特定範囲外のユーザの移動通信端末６０に対して、コンテンツデータと広告データとを切り替えて送信するように構成され得る。
【００８１】
＜例２の４＞
配信処理部１１Ｄは、リクエスト信号送信元の移動通信端末６０が特定の配信空間に位置する場合には、Ｓ１１０において、この移動通信端末６０のユーザの性別、年齢、会員種別、配信空間への訪問頻度、及び、購買履歴等の行動履歴が特定の特徴を示すか否かを判定することにより、移動通信端末６０が広告配信対象であるか否かを判定するように構成され得る。
【００８２】
＜例３＞
配信処理部１１Ｄは、リクエスト信号送信元の移動通信端末６０がスマートフォンであるか否かを特定し、スマートフォンである場合には、Ｓ１１０において、移動通信端末６０が広告配信対象ではないと判定するように構成され得る。これにより、配信処理部１１Ｄは、スマートフォン以外の移動通信端末６０に対して、コンテンツデータと広告データとを切り替えて送信するように構成され得る。スマートフォンは画面サイズが小さい傾向にあり、タブレット端末は画面サイズが大きい傾向にある。従って、スマートフォンでは、タブレット端末と比較して、多数の配信データを同時表示できない。このため、スマートフォンにコンテンツデータのみを送信することは、場合により意義がある。
【００８３】
＜例４＞
配信処理部１１Ｄは、リクエスト信号送信元の移動通信端末６０が配信データの表示に用いる表示枠のサイズを特定し、そのサイズが所定サイズ未満である場合には、Ｓ１１０において、移動通信端末６０が広告配信対象ではないと判定するように構成され得る。所定サイズは、広告データを表示するために必要なサイズであり得る。
【００８４】
＜例５＞
配信空間Ｄ１０は、複数の部分空間Ｄ１１，Ｄ１２によって構成されてもよい。例えば、一つの店舗に設定された配信空間Ｄ１０は、店舗内の複数エリアに設定された複数の部分空間Ｄ１１，Ｄ１２から構成される配信空間であってもよい。配信空間Ｄ１０及びその部分空間Ｄ１１，Ｄ１２の提供者は同一である。この場合、配信処理部１１Ｄは、配信空間Ｄ１０が有する複数の部分空間Ｄ１１，Ｄ１２の内、第一の部分空間Ｄ１１に対しては、配信比率Ｐ：（１００−Ｐ）を１００：０に設定して、この部分空間Ｄ１１に位置する移動通信端末６０にコンテンツデータのみを送信し、第二の部分空間Ｄ１２に対しては、配信比率Ｐ：（１００−Ｐ）を０：１００に設定して、この部分空間Ｄ１２に位置する移動通信端末６０に広告データのみを送信するように構成され得る。例えば、店舗の入口に設定された部分空間Ｄ１１では、コンテンツデータのみを送信し、入口以外の店舗内に設定された部分空間Ｄ１２では、広告データのみを送信するように、配信処理部１１Ｄは構成され得る。
【００８５】
更に、配信データの具体例を説明する。
＜例６＞
配信処理部１１Ｄは、Ａ社の販売店に訪問した履歴を有するユーザの移動通信端末６０には、Ａ社の配信空間でない別の配信空間に対する広告データとして、Ｓ１７０でＡ社の広告データを送信し、Ａ社の販売店に訪問した履歴を有さないユーザの移動通信端末６０には、広告データを送信しないように構成され得る。
【００８６】
＜例７＞
配信処理部１１Ｄは、コンビニエンスストアにて販売される商品を取扱うＢ社のウェブサイトに訪問したウェブアクセス履歴を有するユーザの移動通信端末６０には、コンビニエンスストアの配信空間に対するコンテンツデータ又は広告データとして、Ｂ社の商品を紹介するコンテンツデータ又は広告データを送信するように構成され得る。
【００８７】
＜例８＞
配信処理部１１Ｄは、購買履歴データに基づき、ダイエット食品の購入量が一定以上あるユーザの移動通信端末６０には、コンテンツデータ又は広告データとして、ダイエット関連のコンテンツデータ又は広告データを送信するように構成され得る。
【００８８】
以上、本実施例の配信システム１について説明したが、この配信システム１によれば、代理サーバ１０の配信処理部１１Ｄが、配信空間Ｄ１０，Ｄ２０に位置する移動通信端末６０に対し、配信空間の提供者に関するコンテンツデータと、それ以外の広告データと、を切り替えて配信する。従って、この配信システム１によれば、実空間を有意義に利用して、及び、配信空間Ｄ１０，Ｄ２０内の移動通信端末６０を有意義に利用して、配信空間Ｄ１０，Ｄ２０に位置する消費者に向けて情報発信することができる。従って、上記実施例によれば、ユーザと共に移動する移動通信端末６０に対する有意義な配信システム１を提供することができる。
【００８９】
付言すると、上記実施例によれば、配信空間Ｄ１０，Ｄ２０を、その配信空間Ｄ１０，Ｄ２０に対応する場所を管理する者だけでなく、その他の者も利用することができるようにした。そして、配信空間Ｄ１０，Ｄ２０を、配信空間の提供者以外が使用する場合には、配信空間Ｄ１０，Ｄ２０を使用する権利を競争入札の原理で決定するようにした。従って、上記実施例によれば、配信空間の提供者及び広告主の双方にとって有益な配信システム１を提供することができる。
【００９０】
また、配信空間の提供者が所望するコンテンツデータ及び広告データの配信比率は、曜日や時間帯により客層や来客数が変化することに起因して変化するため、上記実施例では、曜日及び時間帯に応じて配信比率を切り替えることができるようにした。従って、上記実施例の配信システム１によれば、配信空間の提供者が望む配信比率で、コンテンツデータ及び広告データを適切に切り替えて配信することができる。
【００９１】
更に言えば、上記実施例の配信システム１は、無料会員や下級会員のみに広告データを配信し、有料会員や上級会員には広告データを配信しないように動作可能であり、ユーザ属性に応じて異なる態様でコンテンツデータ及び広告データを配信することができるため、大変有意義である。
【００９２】
以上、本発明の実施例について説明したが、本発明は、上記実施例に限定されることなく、種々の態様を採ることができる。例えば、図５に示す配信処理は、Ｓ１１０を有さない処理であってもよく、代わりに、＜例１＞から＜例２の４＞で説明した例と同様の結果が生じるように、Ｓ１３０において、配信比率Ｐ：（１００−Ｐ）を設定する処理として構成されてもよい。この場合、Ｓ１２０と同様の処理を実行するために、Ｓ１３０で配信比率を１００：０に設定するのではなく、配信比率を９０：１０等の広告データが少ない確率では送信される配信比率に設定してもよい。換言すれば、配信比率は、配信空間、曜日、及び、時間帯だけでなく、ユーザ属性や、過去における広告データ送信回数等に基づいて設定されてもよい。
【００９３】
また、移動通信端末６０の内部変数取得処理部６１Ｃは、内部変数として、ユーザの行動履歴を表すデータを収集するように構成されてもよい。例えば、移動通信端末６０は、ＧＰＳ受信機６９を用いてユーザの移動履歴を表すデータを生成し、これをユーザの行動履歴を表すデータとして、記憶ユニット６２に記録するように構成され得る。この場合、リクエスト処理部６１Ｂは、ユーザの行動履歴を表すデータを格納したリクエスト信号を代理サーバ１０に送信するように構成され得る。
【００９４】
移動通信端末６０は、自動販売機から取得した購買データを、ユーザの行動履歴を表すデータとして、記憶ユニット６２に記録するように構成されてもよい。自動販売機は、移動通信端末６０のユーザが商品を購入したときに、ブルートゥース通信等により移動通信端末６０に購入商品、購入日時、及び、購入場所（例えば自動販売機ＩＤ）等を表す購買データを提供することが考えられる。ユーザの行動履歴を表すデータの記憶ユニット６２への記録は、上述した配信データの受信及び表示用のアプリケーションプログラムにより実現され得る。
【００９５】
自動販売機と移動通信端末６０との間の通信は、ブルートゥース通信に依らず、様々な通信によって実現され得る。自動販売機は、移動通信端末６０に、音波によって購買データを送信する構成にされてもよい。この場合、移動通信端末６０は、マイクロフォンを通じて購買データを受信するように構成され得る。付言すれば、代理サーバ１０は、移動通信端末６０から受信した購買データに基づき、購買行為に対する報酬ポイントをユーザに付与する処理を実行する構成にされてもよい。
【００９６】
また、電子入札システム５０としての機能は、広告配信サーバ４０内に設けられてもよいし、代理サーバ１０に設けられてもよい。代理サーバ１０は、複数の広告配信サーバからの入札を受けて、その入札結果に基づき、配信空間及び期間毎に、配信対象の広告データを決定するように構成され得る。
【００９７】
配信システム１は、図７に示すように変形されてもよい。変形例の配信システム２は、配信空間Ｄ３０，Ｄ４０に、ディジタルサイネージ８０を備える。また、この配信システム２は、代理サーバ１０に代えて、変形例の代理サーバ９０を備える。代理サーバ９０の基本構成及び基本機能は、代理サーバ１０と同じである。但し、この代理サーバ９０は、配信空間Ｄ３０，Ｄ４０に位置するディジタルサイネージ８０に対しても、移動通信端末６０と同様に、コンテンツデータ及び広告データを切り替えて配信する機能を有する。
【００９８】
即ち、代理サーバ９０は、サーバプログラムの実行により、図８に示すように、配信処理部１１Ｄに代えて、第一配信処理部９１Ｄ及び第二配信処理部９１Ｅを備える配信処理部９１として機能する。第一配信処理部９１Ｄは、上記実施例の配信処理部１１Ｄと同様に機能する。
【００９９】
第二配信処理部９１Ｅは、配信空間毎に、配信空間に位置する移動通信端末６０のユーザに適合したコンテンツデータ及び広告データを、この移動通信端末６０のユーザに対して情報表示可能な配信空間内のディジタルサイネージ８０に送信するように構成される。
【０１００】
例えば、第二配信処理部９１Ｅは、配信空間に移動通信端末６０が進入する度に、この進入した移動通信端末６０のユーザに適したコンテンツデータ及び広告データを、配信処理部１１Ｄと同様の手順で切り替えて、同一配信空間内のディジタルサイネージ８０に送信するように構成され得る。ディジタルサイネージ８０と設置場所（配信空間）との対応関係は、予め記憶ユニット１３に記憶させておくことができ、第二配信処理部９１Ｅは、記憶ユニット１３が記憶する情報に基づき、配信先のディジタルサイネージ８０を特定することができる。ディジタルサイネージ８０に送信するコンテンツデータ及び広告データは、移動通信端末６０に送信するコンテンツデータ及び広告データと同じデータである必要は全くなく、ディジタルサイネージ８０用に最適化され得る。
【０１０１】
別例として、第二配信処理部９１Ｅは、配信空間毎に、一定期間内に送信されてきたリクエスト信号に基づく内部変数及び外部変数から、この配信空間に位置するユーザグループの特徴を判別し、判別したユーザグループに適したコンテンツデータ及び広告データを、設定された配信比率Ｐ：（１００−Ｐ）で切り替えて、ディジタルサイネージ８０に送信するように構成されてもよい。
【０１０２】
変形例の配信システム２において、ディジタルサイネージ８０は、コード発信機７０としての機能を有した構成にされてもよい。この場合には、配信空間に、コード発信機７０とディジタルサイネージ８０とを個別に設ける必要はない。また、代理サーバ９０の配信処理部９１は、リクエスト信号を送信してきた移動通信端末６０に配信データ（コンテンツデータ及び広告データ）を送信することなく、ディジタルサイネージ８０のみに配信データを送信するように構成されてもよい。即ち、配信データに基づく表示は、ディジタルサイネージ８０のみで行われてもよい。
【０１０３】
この他、上記実施例では、代理サーバ１０，９０がコンテンツデータ及び広告データを送信する例について説明したが、これらのデータは、場合により、ＵＲＬ情報として構成されてもよい。即ち、配信データは、それ自体が、ユーザに対して表示する対象の実質的な情報を含むものであってもよいし、実質的な情報にアクセスするためのアドレス情報を含むものであってもよい。特許請求の範囲に記載の文言から特定される技術思想に含まれるあらゆる態様が本発明の実施形態である。
【０１０４】
最後に、用語間の対応関係を説明する。リクエスト受付処理部１１Ｃは、取得ユニットの一例に対応し、配信処理部１１Ｄは、配信ユニットの一例に対応する。また、コンテンツデータは、第一配信データの一例に対応し、広告データは、第二配信データの一例に対応する。また、電子入札システム５０は、決定ユニットの一例に対応する。
【符号の説明】
【０１０５】
１，２…配信システム、１０，９０…代理サーバ、１１…演算ユニット、１１Ａ…認証処理部、１１Ｂ…外部変数取得処理部、１１Ｃ…リクエスト受付処理部、１１Ｄ，９１…配信処理部、１３…記憶ユニット、１５…通信ユニット、２０…情報提供サーバ、３０…コンテンツ配信サーバ、４０…広告配信サーバ、５０…電子入札システム、６０…移動通信端末、６１…制御ユニット、６１Ａ…認証要求部、６１Ｂ…リクエスト処理部、６１Ｃ…内部変数取得処理部、６１Ｄ…受信処理部、６１Ｅ…表示処理部、６２…記憶ユニット、６４…表示ユニット、６５…操作ユニット、６６…通信ユニット、６７…コード受信機、６９…ＧＰＳ受信機、７０…コード発信機、８０…ディジタルサイネージ、９１Ｄ…第一配信処理部、９１Ｅ…第二配信処理部、１１１，６１１…ＣＰＵ、１１３，６１３…ＲＡＭ、Ｄ１０，Ｄ２０，Ｄ３０，Ｄ４０…配信空間、Ｄ１１，Ｄ１２…部分空間。
【要約】
【課題】移動通信端末を用いた有意義な配信システムを提供する。
【解決手段】配信システム（１）は、配信空間（Ｄ１０，Ｄ２０）に位置する移動通信端末（６０）及び移動通信端末（６０）のユーザの少なくとも一方に関する情報を移動通信端末（６０）から取得する。配信システム（１）は、取得した上記移動通信端末（６０）及び移動通信端末（６０）のユーザの少なくとも一方に関する情報に基づき、配信先装置としての配信空間に位置する移動通信端末（６０）及び移動通信端末（６０）のユーザに対して情報表示可能な表示装置の少なくとも一方に対し、配信空間に対応した配信データを送信する。配信データは、配信空間の提供者に関する第一配信データと、それ以外の第二配信データと、を含む。配信システム（１）は、配信先装置に対し、第一配信データと第二配信データとを切り替えて送信する。
【選択図】図１【図１】
0005791840.tif 000002
【図２】
0005791840.tif 000003
【図３】
0005791840.tif 000004
【図４】
0005791840.tif 000005
【図５】
0005791840.tif 000006
【図６】
0005791840.tif 000007
【図７】
0005791840.tif 000008
【図８】
0005791840.tif 000009